(57)【要約】【課題】一対の接点から生じるアークでケースが損傷することを抑制できる接点装置を提供する。【解決手段】接点装置２は、接点部６、ケース、仕切り壁１８及び遮蔽部材１３を備える。接点部６は、一対の接点３１，３２を有し、一対の接点３１，３２が接触する閉状態と一対の接点３１，３２が離れる開状態とのうちの一方の状態とに切り替わる。ケースは、接点部６、仕切り壁１８及び遮蔽部材１３を収容する。仕切り壁１８は、接点部６に対して、一対の接点３１，３２が互いの対向方向と直交する直交方向の位置に設けられ、ケースの内部を接点部６を含む第１空間Ｓ１と接点部６を含まない第２空間とにケース１２の内部を仕切る。遮蔽部材１３は、仕切り壁１８に設けられている。仕切り壁１８は、第１空間Ｓ１と第２空間とをつなぐ開口部２３を有する。開口部２３は、上記の直交方向に平行な方向おいて、開状態にある一対の接点３１，３２の間の空間と重なる。【選択図】図１
2020080234.tif 000002
【特許請求の範囲】
【請求項１】
一対の接点を有し、前記一対の接点が接触する接点閉状態と前記一対の接点が離れる接点開状態とのうちの一方の状態とに切り替わる接点部と、
前記接点部を収容するケースと、
前記接点部に対して、前記一対の接点が互いに対向する方向と交差する交差方向の位置に設けられて、前記接点部を含む第１空間と前記接点部を含まない第２空間とに前記ケースの内部を仕切る仕切り壁と、
前記仕切り壁に設けられた遮蔽部材と、を備え、
前記仕切り壁は、前記第１空間と前記第２空間とをつなぐ開口部を有し、
前記開口部の少なくとも一部は、前記交差方向に平行な方向において、前記開状態にある前記一対の接点の間の空間と重なり、
前記遮蔽部材は、前記開口部の少なくとも一部を覆う主部を有する、
接点装置。
【請求項２】
前記遮蔽部材の耐熱性は、前記仕切り壁の耐熱性よりも高い、
請求項１に記載の接点装置。
【請求項３】
前記遮蔽部材の熱伝導率は、前記仕切り壁の熱伝導率よりも高い、
請求項１又は２に記載の接点装置。
【請求項４】
前記遮蔽部材は、前記接点部から生じるアークが接触可能な位置に設けられている、
請求項１〜３の何れか１項に記載の接点装置。 
【請求項５】
前記遮蔽部材は、前記主部から突出する第１突出部を更に有し、
前記第１突出部は、前記交差方向に平行な方向において、前記仕切り壁における前記開口部の周囲の領域に重なる、
請求項１〜４の何れか１項に記載の接点装置。
【請求項６】
前記第１突出部は、前記仕切り壁における前記一対の接点とは反対側の主面に配置される、
請求項５に記載の接点装置。
【請求項７】
前記第１突出部は、前記仕切り壁における前記ケースとの対向面と前記ケースとの間に配置される、
請求項６に記載の接点装置。
【請求項８】
前記仕切り壁における前記一対の接点とは反対側の前記主面に金属部材が露出し、
前記第１突出部は、前記金属部材における前記主面から露出する露出部を避けて配置される、
請求項５〜７の何れか１項に記載の接点装置。
【請求項９】
前記遮蔽部材は、前記主部から前記交差方向の反対方向に突出する第２突出部を有し、
前記第２突出部は、前記開口部の内周に接触する、
請求項１〜８の何れか１項に記載の接点装置。
【請求項１０】
前記主部は、前記第２空間に配置される、
請求項１〜９の何れか１項に記載の接点装置。
【請求項１１】
前記遮蔽部材は、金属製である、
請求項１〜１０の何れか１項に記載の接点装置。
【請求項１２】
前記仕切り壁の外側の主面に配置され、前記一対の接点のうちの一方の接点と電気的に接続された端子を更に備え、
前記端子は、前記遮蔽部材として機能する
請求項１〜４の何れか１項に記載の接点装置。
【請求項１３】
前記仕切り壁を第１仕切り壁とし、
前記開口部を第１開口部とし、
前記交差方向を第１交差方向とし、
前記接点部に対して、前記一対の接点が互いに対向する方向と交差しかつ前記第１交差方向と異なる第２交差方向の位置に設けられて、前記ケースの内部を前記接点部を含む第１空間と前記接点部を含まない第３空間とに前記ケースの内部を仕切る第２仕切り壁と、
前記第２仕切り壁の外側の主面に設けられ、前記一対の接点のうちの一方の接点と電気的に接続された端子と、を備え、
前記第２仕切り壁は、前記第１空間と前記第３空間とをつなぐ第２開口部を有し、
前記第２開口部の少なくとも一部は、前記第２交差方向に平行な方向において、前記開状態にある前記一対の接点の間の空間と重なり、
前記端子は、前記第２開口部の少なくとも一部を覆う主部を有する、
請求項１〜１１の何れか１項に記載の接点装置。
【請求項１４】
請求項１〜１３の何れか１項に記載の接点装置と、
前記一対の接点を前記開状態及び前記閉状態のうちの一方の状態に切り替える電磁石装置と、を備える、
電磁継電器。
【発明の詳細な説明】
【技術分野】
【０００１】
本開示は、一般に接点装置及び電磁継電器に関し、より詳細には、接点閉状態及び接点開状態のうちの何れか一方の状態に択一的に切り替わる接点部を有する接点装置及び電磁継電器に関する。
【背景技術】
【０００２】
特許文献１に記載の電磁リレー（電磁継電器）は、可動接点及び固定接点（一対の接点）と、ベース（仕切り壁部）と、カバー（ケース）とを備えている。可動接点及び固定接点は、互いに接触する状態（接点閉状態）と互いに離れる状態（接点開状態）とのうちの一方の状態に択一的に切り替わる。ベースには、可動接点及び固定接点が設けられている。ベースには、製造時において、固定接点及び可動接点の間の間隔を確認するための開口部が設けられている。カバーは、ベースを収容する。
【先行技術文献】
【特許文献】
【０００３】
【特許文献１】特開２０１１−３３０８号公報
【発明の概要】
【発明が解決しようとする課題】
【０００４】
特許文献１に記載の電磁リレーでは、固定接点及び可動接点が互いに接触したときに生じるアーク（火花）が、ベースの開口部を通ってカバーに接触する。これにより、カバーが損傷する場合がある。
【０００５】
本開示は、上記事由に鑑みて、一対の接点から生じるアークでケースが損傷することを抑制できる接点装置及び電磁継電器を提供することを目的とする。
【課題を解決するための手段】
【０００６】
本開示の一態様に係る接点装置は、接点部と、ケースと、仕切り壁と、遮蔽部材と、を備えている。前記接点部は、一対の接点を有し、前記一対の接点が接触する接点閉状態と前記一対の接点が離れる接点開状態とのうちの一方の状態とに切り替わる。前記ケースは、前記接点部を収容する。前記仕切り壁は、前記接点部に対して、前記一対の接点が互いに対向する方向と交差する交差方向の位置に設けられて、前記接点部を含む第１空間と前記接点部を含まない第２空間とに前記ケースの内部を仕切る。前記遮蔽部材は、前記仕切り壁に設けられている。前記仕切り壁は、前記第１空間と前記第２空間とをつなぐ開口部を有する。前記開口部の少なくとも一部は、前記交差方向に平行な方向において、前記開状態にある前記一対の接点の間の空間と重なる。前記遮蔽部材は、前記開口部の少なくとも一部を覆う主部を有する。
【０００７】
本開示の一態様に係る電磁継電器は、前記接点装置と、電磁石装置と、を備える。前記電磁石装置は、前記一対の接点を前記開状態及び前記閉状態のうちの一方の状態に切り替える。
【発明の効果】
【０００８】
本開示は、一対の接点から生じるアークでケースが損傷することを抑制できる、という利点がある。
【図面の簡単な説明】
【０００９】
【図１】図１は、実施形態に係る電磁継電器を、ケースを省略して前側から見た正面図である。
【図２】図２は、同上の電磁継電器を、ケースを省略して後側から見た背面図である。
【図３】図３は、同上の電磁継電器を、ケースを省略せずに後側から見た背面図である。
【図４】図４は、図３のＡ−Ａ線断面の一部を示す断面図である。
【図５】図５は、同上の電磁継電器の遮蔽部材を後側から見た斜視図である。
【図６】図６Ａは、変形例１に係る電磁継電器の遮蔽部材の一例を示す斜視図である。図６Ｂは、変形例１に係る電磁継電器の遮蔽部材の別の一例を示す斜視図である。
【図７】図７は、変形例２に係る電磁継電器の遮蔽部材を示す斜視図である。
【図８】図８は、変形例３に係る電磁継電器の遮蔽部材を示す斜視図である。
【図９】図９は、変形例４に係る電磁継電器の部分断面図である。
【図１０】図１０は、同上の電磁継電器の部分分解斜視図である。
【図１１】図１１は、同上の電磁継電器を、ケースを省略して後側から見た背面図である。
【発明を実施するための形態】
【００１０】
以下、実施形態に係る電磁継電器について説明する。下記の実施形態は、本開示の様々な実施形態の例に過ぎない。また、下記の実施形態は、本開示の目的を達成できれば、設計等に応じて種々の変更が可能である。また、以下の説明における前後、左右、上下の方向は、説明のために便宜上使用しているに過ぎず、実施形態に係る電磁継電器の使用方向を規定する趣旨ではない。なお、図１では、紙面手前側が前側であり、紙面奥側が後側である。図２及び図３では、紙面奥側が前側であり、紙面手前側が後側である。
【００１１】
図１〜図５を参照して、本実施形態に係る電磁継電器１について説明する。
【００１２】
本実施形態に係る電磁継電器１は、電磁リレーであり、図１に示すように、接点装置２と、電磁石装置３とを備えている。電磁石装置３は、接点装置２に含まれる一対の接点３１，３２を接点開状態と接点閉状態とのうちの一方の状態に切り替える駆動装置である。接点閉状態とは、一対の接点３１，３２が互いに接触している状態であり、接点開状態とは、一対の接点３１，３２が互いに離れている状態である。接点装置２は、ベース４と、作動部５と、接点部６と、カード７と、４つの端子８〜１１と、ケース１２（図３）と、遮蔽部材１３とを備えている。
【００１３】
ベース４は、電磁石装置３、作動部５、カード７、接点部６、４つの端子８〜１１、及び、遮蔽部材１３が取り付けられる部材である。ベース４は、絶縁性材料（例えば合成樹脂）で形成されている。ベース４は、例えば直方体の中空の箱状であり、前面と下面が開放している。ベース４は、ケース１２の内部に収容される。
【００１４】
ベース４は、左壁部１６と、右壁部１７と、後壁部１８（仕切り壁、第１仕切り壁）と、上壁部１９と、中間壁部２０と、を有する。壁部１６〜２０はそれぞれ、例えば矩形の平板状である。左壁部１６及び右壁部１７は、後壁部１８の左右両側の辺部から前方に突出している。上壁部１９は、後壁部１８の上辺部から前方に突出している。上壁部１９の左辺部は、左壁部１６の上辺部に連結し、上壁部１９の右辺部は右壁部１７の上辺部に連結している。
【００１５】
中間壁部２０は、左壁部１６及び右壁部１７の間に配置されている。中間壁部２０は、左壁部１６及び右壁部１７の上下方向の中間付近に配置されている。中間壁部２０は、右壁部１７から、左壁部１６及び右壁部１７の間の中間位置まで延びている。中間壁部２０の後辺部（図１では紙面奥側の辺部）は、後壁部１８の前面（図１では紙面手間側の面）に連結され、中間壁部２０の右辺部は、右壁部１７の左側の主面に連結されている。なお、ベース４の内部空間Ｓ１（第１空間）のうち、中間壁部２０よりも上側の空間を上側空間Ｓ２と記載し、中間壁部２０よりも下側の空間を下側空間Ｓ３と記載する。
【００１６】
後壁部１８は、開口部２３（第１開口部）及び開口部２４を有する。開口部２３及び開口部２４は、例えば矩形状の開口である。開口部２３及び開口部２４は、後壁部１８の上側空間Ｓ２に面する部分に設けられている。開口部２３及び開口部２４は、横方向（右方向又は左方向）に並んで設けられている。開口部２３を設けることにより、電磁継電器１の製造時において、接点開状態の接点部６の間のギャップ（空間）Ｓ６を確認することができる。開口部２４を設けることにより、電磁継電器１の製造時において、接点部６の後述の弾性片３３の配置を確認することができる。遮蔽部材１３は、開口部２３を塞ぐように後壁部１８に装着されている。
【００１７】
ベース４の内部空間Ｓ１のうち、上側空間Ｓ２には、接点部６、作動部５及びカード７が配置されており、下側空間Ｓ３には、電磁石装置３が配置されている。後壁部１８は、図４に示すように、ケース１２の内部空間Ｓ４を、ベース４の内部空間（第１空間）Ｓ１と、隙間空間（第２空間）Ｓ５に仕切り壁である。なお、ベース４の内部空間Ｓ１は、接点部６を含む空間である。隙間空間Ｓ５は、ベース４の後壁部１８とケース１２の後壁部４１との間（後壁部１８の後面１８ｋとケース１２との間）の空間であり、接点部６を含まない空間である。また、後壁部１８の開口部２３は、内部空間Ｓ１と隙間空間Ｓ５とを繋ぐ開口部である。すなわち、内部空間Ｓ１と隙間空間Ｓ５は、開口部２３を通して繋がっている。
【００１８】
電磁石装置３は、ボビン２６と、コイル２７と、鉄心２８と、継鉄２９とを備えている。
【００１９】
ボビン２６は、絶縁性材料（例えば合成樹脂）で形成されている。ボビン２６は、例えば円筒状である。ボビン２６は、ベース４の下側空間Ｓ３に配置されている。ボビン２６の中心軸は、上壁部１９に対して平行であり、左壁部１６及び右壁部１７に対して垂直である。コイル２７は、ボビン２６の外周に巻回されている。
【００２０】
鉄心２８は、軟磁性材料（例えば鉄）で形成されている。鉄心２８は、例えば棒状であり、ボビン２６の中心軸に配置されている。鉄心２８の左右両端部２８ａ，２８ｂは、ボビン２６の左右両端部から突出している。
【００２１】
継鉄２９は、軟磁性材料（例えば鉄）で形成されている。継鉄２９は、例えばＬ字状であり、端板部２９ａと、側板部２９ｂとを有する。端板部２９ａは、ボビン２６の右端面に沿って平行に配置されている。側板部２９ｂは、ボビン２６の作動部５側の側面に沿って配置されている。側板部２９ｂは、端板部２９ａの上端部から端板部２９ａに直交する直交方向（左方向）（交差方向、第１交差方向）に延びている。継鉄２９の一端部２９ｆは、ボビン２６の右端部から突出する鉄心２８の右端部２８ａと連結されている。鉄心２８及び継鉄２９は、コイル２７が生成する磁束の磁路を構成している。
【００２２】
継鉄２９は、２つの突出部２９ｃ，２９ｄを有する（図２参照）。２つの突出部２９ｃ，２９ｄは、継鉄２９の側板部２９ｂの後面から後壁部１８側に突出している。２つの突出部２９ｃ，２９ｄは、側板部２９ｂの後面に長手方向（左方向又は右方向）に沿って互いに間隔を空けて並んでいる。２つの突出部２９ｃ，２９ｄは、後壁部１８に設けられた２つの孔１８ａ，１８ｂに嵌っている。２つの突出部２９ｃ，２９ｄが２つの孔１８ａ，１８ｂに嵌ることで、継鉄２９は、ベース４に対して位置決めされた状態で配置されている。また、２つの突出部２９ｃ，２９ｄは、２つの孔１８ａ，１８ｂから後壁部１８の外側に露出している。以後、突出部２９ｃ，２９ｄを露出部２９ｃ，２９ｄとも記載する。
【００２３】
作動部５は、磁性材料（例えば鉄）で形成されている。図１に示すように、作動部５は、例えばＬ字状であり、端板部５ａと、側板部５ｂとを有する。端板部５ａは、ボビン２６の左端部に沿って配置され、側板部５ｂは、継鉄２９の側板部２９ｂの上側において側板部２９ｂに沿って配置されている。側板部５ｂは、端板部５ａの上端部から端板部５ａに直交する直交方向（交差方向、右方向）に延びている。
【００２４】
作動部５は、屈曲部５ｃを有する。屈曲部５ｃは、作動部５の端板部５ａと側板部５ｂとの連結部分である。作動部５の屈曲部５ｃ付近の部分（例えば屈曲部５ｃの下側の部分）は、継鉄２９の側板部２９ｂの左端部に回転可能に支持されている。作動部５は、作動部５の屈曲部５ｃの下側の部分を中心に時計回り又は時計回りに一定角度回転可能である。作動部５は、付勢部材（例えばばね）によって、側板部５ｂが継鉄２９の側板部２９ｂに近接する方向に付勢されている。
【００２５】
したがって、初期状態（電磁石装置３が無励磁の状態）では、作動部５の端板部５ａは、付勢部材の付勢力によって鉄心２８の左端部２８ｂから離間された状態となっている。そして、コイル２７が通電して電磁石装置３が励磁されると、作動部５の端板部５ａが鉄心２８の左端部２８ｂに引き寄せられ、作動部５は、屈曲部５ｃの下側の部分を中心に側板部５ｂが継鉄２９の側板部２９ｂから離れる方向に一定角度回転する。また、コイル２７への通電を遮断すると電磁石装置３が消磁し、作動部５は、付勢部材の付勢力によって初期状態に復帰する。このように、作動部５は、電磁石装置３の励磁によって復帰自在に一定角度回転するように、ベース４に配置されている。
【００２６】
接点部６は、固定接点３１と、可動接点３２と、弾性片３３とを備えている。固定接点３１及び可動接点３２は、一対の接点を構成している。以後、一対の接点３１，３２とも記載する。
【００２７】
固定接点３１は、ベース４に対して相対的に固定されている。可動接点３２は、固定接点３１に対して接近して接触し又は離れることが可能なようにベース４に配置されている。より詳細には、固定接点３１は、ベース４に設けられた端子１１に固定されることで、ベース４に対して間接的に固定されている。可動接点３２は、ベース４に取り付けられた弾性片３３に固定されることで、固定接点３１に対して接近して接触し又は離れることが可能なようにベース４に配置されている。なお、本実施形態は、端子１１を介してベース４に間接的に固定されるが、端子１１を介さずにベース４に直接固定されてもよい。
【００２８】
固定接点３１及び可動接点３２は、ベース４の上側空間Ｓ２内の左側の空間に配置されている。より詳細には、固定接点３１は、上記の左側の空間の上側（すなわち上壁部１９の下側）に配置されている。可動接点３２は、上記の左側の空間の下側（すなわち中間壁部２０の上側）に配置されている。すなわち、固定接点３１及び可動接点３２は、互いの対向方向（上方向又は下方向）に間隔を空けて配置されている。なお、初期状態（電磁石装置３が非励磁の状態）では、可動接点３２と固定接点３１との間には、所定の空間（ギャップ）が確保されている。
【００２９】
なお、後壁部１８は、図１に示すように、接点部６の配置に対して、固定接点３１及び可動接点３２が互いに対向する方向（上方向または下方向）に交差（例えば直交）する交差方向（例えば後方向）の位置に設けられている。また、後壁部１８は、固定接点３１と可動接点３２との開離時に生じるアーク（火花）が接触可能する位置に配置されていることが好ましい。後壁部１８の開口部２３の少なくとも一部は、前方向又は後方向において、接点開状態の固定接点３１及び可動接点３２の間の空間（ギャップ）Ｓ６に重なるように、後壁部１８に設けられている。なお、前方向又は後方向は、一対の接点３１，３２が互いに対向する方向に直交（交差）する直交方向（交差方向）に平行な方向である。なお、開口部２３の少なくとも一部が空間Ｓ６と重なるときの上記の「開口部２３の少なくとも一部」は、遮蔽部材１３が開口部２３の少なくとも一部を覆うときの「開口部２３の少なくとも一部」と同じであってもよいし、同じでなくてもよい。
【００３０】
弾性片３３は、導電性材料で形成された板ばねであり、帯状である。弾性片３３は、左方向及び右方向に延びている。弾性片３３の左端部３３ａは、ベース４に対して相対的に固定されている。より詳細には、弾性片３３の左端部３３ａは、ベース４に設けられた端子１０に固定されることで、ベース４に対して相対的に固定されている。弾性片３３の右端部３３ｂは、自由端であり、上方向又は下方向に弾性的に変位可能である。弾性片３３の右端部３３ｂは、可動接点３２の位置まで延びており、弾性片３３の右端部３３ｂの上側主面に可動接点３２が設けられている。弾性片３３が左端部３３ａを支点として上下に弾性的に撓むことで、弾性片３３の右端部３３ｂが上方向又は下方向に変位する。この変位によって、可動接点３２が、上方向又は下方向に変位して固定接点３１に対して接近して接触し又は離れる。
【００３１】
カード７は、作動部５の側板部５ｂの上下の動作を弾性片３３に伝達する部材である。カード７は、絶縁性材料（例えば合成樹脂）で形成されている。カード７は、作動部５の側板部５ｂの上側に固定されている。カード７は、その上部に突出部７ａを有する。カード７の突出部７ａの先端部は、弾性片３３の下面における長手方向の中央に当接している。
【００３２】
４つの端子８〜１１は、電磁継電器１の外部接続端子として機能する端子である。２つの端子８，９は、電磁石装置３に駆動電流を供給するための端子である。２つの端子８，９のうち、右側の端子８は、コイル２７の一端部に電気的に接続されている。左側の端子９は、コイル２７の他端部に電気的に接続されている。ボビン２６の左右両端には、カバー部材３５ａ，３５ｂが装着されている。左側の端子９は、左側のカバー部材３５ｂに固定され、ベース４の下面の前左角部付近から下方に突出されている。右側の端子８は、右側のカバー部材３５ａに固定され、ベース４の下面の前右角部付近から下方に突出されている。例えば、端子８から電流を入力して端子９から電流を出力させると、コイル２７が通電して磁界を発生し、電磁石装置３が励磁する。
【００３３】
２つの端子１０，１１は、接点閉状態の一対の接点３１，３２の間に流れる電流を入力又は出力するための端子である。２つの端子１０，１１のうち、左側の端子１０は、ベース４の左壁部１６の外面に固定されている。左側の端子１０の上部１０ａは、折れ曲げられてベース４内に引き込まれ、弾性片３３の左端部３３ａと電気的に接続されている。左側の端子１０の下部１０ｂは、ベース４の下面の後左角部付近から下方に突出されている。２つの端子１０，１１のうち、右側の端子１１は、ベース４の右壁部１７の外面に固定されている。右側の端子１１の上部１１ａは、折れ曲げられてベース４内に引き込まれ、固定接点３１と電気的に接続されている。固定接点３１は、右側の端子１１の上部１１ａの下面に固定されている。右側の端子１１の下部１１ｂは、ベース４の下面の後右角部付近から下方に突出されている。
【００３４】
この電磁継電器１では、電磁石装置３の励磁によって作動部５が一定角度回転すると、作動部５の回転がカード７を介して弾性片３３に伝達され、弾性片３３が固定接点３１の側に撓んで可動接点３２と固定接点３１とが互いに接触する。そして、電磁石装置３が非励磁となると、弾性片３３が作動部５とともに初期状態に復帰し、可動接点３２と固定接点３１とが互いに離れる。
【００３５】
ケース１２は、図４に示すように、ベース４を収容する部材である。ケース１２は、例えば絶縁性材料（例えば合成樹脂）で形成されている。ケース１２は、例えば直方体の中空の箱状であり、例えば上面が開放している。ケース１２は、前壁部、後壁部４１、左壁部４２、右壁部４３及び底壁部４４を有する。底壁部４４は、４つの貫通孔を有する。４つの貫通孔は、４つの端子８〜１１に対応し、対応する端子が貫通する。４つの貫通孔は、底壁部４４の４角部の付近に設けられている。
【００３６】
ベース４は、ケース１２の上側の開口からベース４内に収容される。この状態で、４つの端子８〜１１がケース１２の底壁部４４の４つの貫通孔からケース１２の下方に突出する。ケース１２の前壁部は、ベース４の開放した前面を覆い、ケース１２の後壁部４１、左壁部４２及び右壁部４３はそれぞれ、ベース４の後壁部４１、左壁部１６及び右壁部１７を覆っている。この状態で、ベース４の開口部２３及び開口部２４、遮蔽部材１３並びに継鉄２９の露出部２９，２９ｄは、ケース１２の後壁部４１で覆われている。
【００３７】
遮蔽部材１３は、図２に示すように、ベース４の後壁部１８の開口部２３の少なくとも一部を覆う部材である。本実施形態では、遮蔽部材１３は、開口部２３の全体を覆う。遮蔽部材１３が開口部２３を覆うことで、固定接点３１と可動接点３２との接触時に生じるアーク（火花）が開口部２３から外側に飛び出してケース１２の後壁部４１を接触することを抑制する。
【００３８】
遮蔽部材１３は、例えば平板状である。遮蔽部材１３は、例えば金属材料で形成されている。金属材料としては、例えば銅又は銅合金（例えばジルコニウム銅及びリン青銅）である。遮蔽部材１３の耐熱性は、後壁部１８（ベース４）の耐熱性よりも高いことが望ましい。これにより、一対の接点３１，３２で生じるアークの熱で遮蔽部材１３が溶融することを抑制できる。また、遮蔽部材１３の熱伝導率は、後壁部１８の熱伝導率よりも高いことが望ましい。これにより、遮蔽部材１３の放熱性を向上できる。遮蔽部材１３は、ベース４と同じ材料で形成されてもよい。なお、本実施形態では、遮蔽部材１３は、金属材料で形成されるが、セラミックで形成されてもよい。
【００３９】
遮蔽部材１３は、図２に示すように、ベース４の後壁部１８の後面１８ｋに配置されている。これにより、遮蔽部材１３を後壁部１８の後側（すなわちベース４の外側）から装着できる。また、本実施形態では、ベース４は、ケース１２内に収容されているため、遮蔽部材１３は、図４に示すように、後壁部４１の後面（ケース１２との対向面）１８ｋとケース１２との間の空間（隙間空間）Ｓ５に配置されている。これにより、後壁部１８とケース１２とに遮蔽部材１３が挟み込まれ、後壁部４１とケース１２が対向する方向における遮蔽部材１３の位置決めができる。
【００４０】
遮蔽部材１３は、図５に示すように、主部４７と、２つの第１突出部４８ａ，４８ｂと、２つの第２突出部４９ａ，４９ｂとを有する。
【００４１】
主部４７は、ベース４の後壁部１８の開口部２３を覆う部分であり（図２参照）、開口部２３と同形同大の板状（すなわち矩形の板状）である。
【００４２】
第１突出部４８ａ，４８ｂは、前方向又は後方向において、後壁部１８における開口部２３の周囲の領域に重なる部分である。前方向又は後方向は、一対の接点３１，３２が互いに対向する方向に直交する直交方向に平行な方向である。第１突出部４８ａ，４８ｂによって、遮蔽部材１３の熱容量を大きくし、遮蔽部材１３の放熱性を向上できる。
【００４３】
第１突出部４８ａ，４８ｂは、主部４７の外周端から主部４７の外周側に主部４７に平行に突出している。より詳細には、第１突出部４８ａ，４８ｂは、例えば矩形の板状である。第１突出部４８ａは、例えば、主部４７の上辺部４７ａにおいて、左端部と中央右寄り部との範囲に設けられ、上方向に突出している。なお、第１突出部４８ａは、上壁部１９の周縁部１９ｓに干渉しない大きさに形成されている。中央右寄り部は、主部４７の上辺部４７ａにおける中央よりも右側に寄った位置である。第１突出部４８ｂは、例えば、主部４７の下辺部４７ｂにおいて、右端部と中央左寄り部との範囲に設けられ、下方向に突出している。すなわち、遮蔽部材１３は、平面視矩形の形状において、右上角部及び左下角部に矩形の切欠部５０を有する形状である。このように形成された遮蔽部材１３は、主部４７に対する平面視で、主部４７の中心Ｐ１に対して点対称な形状である。
【００４４】
遮蔽部材１３は、上述の通り、後壁部１８の後面１８ｋに配置されている（図２参照）。よって、主部４７及び第１突出部４８ａ，４８ｂも、後壁部１８の後面１８ｋに配置されている。なお、後壁部１８の後面１８ｋは、後壁部１８における一対の接点３１，３２とは反対側の主面である。また、遮蔽部材１３は、上述の通り、後壁部１８の後面１８ｋとケース１２との間の隙間空間Ｓ５に配置されている（図４参照）。よって、主部４７及び第１突出部４８ａ，４８ｂも、後壁部１８の後面１８ｋとケース１２との間の隙間空間Ｓ５に配置されている。なお、後壁部１８の後面１８ｋは、後壁部１８におけるケース１２との対向面である。
【００４５】
第２突出部４９ａ，４９ｂは、ベース４の後壁部１８の開口部２３の内周に接触する部分である（図１参照）。第２突出部４９ａ，４９ｂが開口部２３の内周に接触することで、ベース４の後壁部１８の後面での遮蔽部材１３の位置が位置決めされる。第２突出部４９ａ，４９ｂは、図５に示すように、遮蔽部材１３の主部４７の外周端（例えば左右両辺部）から前方向に突出している。前方向は、一対の接点３１，３２が互いに対向する方向（上方向又は下方向）に直交（交差）する直交方向（交差方向、後方向）の反対方向である。第２突出部４９ａは、主部４７の右辺部４７ｃの全体にわたって設けられ、第２突出部４９ｂは、主部４７の左辺部４７ｄの全体にわたって設けられている。第２突出部４９ａ，４９ｂは、例えば矩形状である。
【００４６】
なお、遮蔽部材１３は、一対の接点３１，３２から生じるアークの熱による温度上昇を低減するために、体積（例えば厚さ又は面積）を極力大きくして熱容量を高めることが望ましい。すなわち、第１突出部４８ａ，４８ｂは、極力大きく形成されることが望ましい。また、遮蔽部材１３は、後壁部１８において露出する金属部材（継鉄２９などの電磁石装置３を構成する部材の露出部２９ｃ，２９ｄなど）及び上壁部１９の周縁部１９ｓを避けるように配置されている（図２参照）。また、遮蔽部材１３を後壁部１８に装着されるとき、遮蔽部材１３の上下左右の向きを考慮しなくてよいように、遮蔽部材１３の平面視形状は、主部４７の中心Ｐ１に対して点対称の形状であることが望ましい（図１及び図５参照）。これらの条件を考慮して、遮蔽部材１３の平面視形状は決められている。
【００４７】
本実施形態では、遮蔽部材１３は、金属平板を曲げ加工して形成される。図５に示す凹部１３ｓは、曲げ加工で第２突出部４９ａ，４９ｂを形成する場合の曲げ逃げ部である。以下、凹部１３ｓを曲げ逃げ部１３ｓとも記載する。曲げ逃げ部１３ｓとは、第２突出部４９ａ，４９ｂを主部４７に対して直交するように曲げるときに、第２突出部４９ａ，４９ｂの基端部の両側の部分に割れが生じることを防止する凹部である。なお、本実施形態では、遮蔽部材１３は、曲げ加工で形成されるが、遮蔽部材１３の製造方法は、曲げ加工を含む製造方法に限定されない。
【００４８】
遮蔽部材１３は、以下のように後壁部１８に装着される。すなわち、図２に示すように、遮蔽部材１３は、ベース４の後壁部１８の後側から開口部２３を覆うように、後壁部１８の後面に装着される。この装着状態では、第２突出部４９ａ，４９ｂが、開口部２３に挿入されて開口部２３の内周に当接する（図１参照）。これにより、遮蔽部材１３が開口部２３に取り付けられる。また、第２突出部４９ａ，４９ｂが開口部２３の内周に当接することで、遮蔽部材１３は、後壁部１８の後面で位置決めされて配置される（図１参照）。より詳細には、第２突出部４９ａ，４９ｂが開口部２３の内周の左右両辺に接触することで、後壁部１８に対する遮蔽部材１３の左方向及び右方向に位置が位置決めされる（図１参照）。また、第２突出部４９ａ，４９ｂの上下両端部が開口部２３の上下両辺に接触することで、後壁部１８に対する遮蔽部材１３の上方向及び下方向に位置が位置決めされる（図１参照）。
【００４９】
また、図２に示すように、上記の装着状態では、主部４７は、開口部２３の全体を覆う。また、第１突出部４８ａ，４８ｂが後壁部１８の後面における開口部２３の周囲に接触する。このとき、遮蔽部材１３の切欠部５０によって、遮蔽部材１３の第１突出部４８ｂは、後壁部１８の孔１８ａから露出した露出部２９ｃを避けるように、後壁部１８の後面に配置されている。また、第１突出部４８ａは、ベース４の上壁部１９の周縁部１９ｓと接触しないように配置されている。
【００５０】
なお、遮蔽部材１３の平面視形状は、主部４７の中心Ｐ１に対して点対称な形状である。このため、遮蔽部材１３を後壁部１８に装着するとき、遮蔽部材１３の上下又は左右が逆になっても、遮蔽部材１３の平面視形状は同じである。このため、遮蔽部材１３の上下又は左右を気にすることなく、遮蔽部材１３を後壁部１８の後面に装着できる。このため、遮蔽部材１３を後壁部１８に装着するときの作業性を向上できる。
【００５１】
以上、この実施形態に係る接点装置２及び電磁継電器１によれば、遮蔽部材１３によって、一対の接点３１，３２から生じるアーク（火花）が開口部２３を通って開口部２３の外側にあるケース１２に接触することを抑制できる。これにより、上記のアークでケース１２が損傷することを抑制できる。また、ケース１２の損傷でケース１２の含有物が飛散することを抑制できる。これにより、一対の接点３１，３２の間に上記の含有物が堆積することを抑制でき、一対の接点３１，３２の接触不良を低減できる。
【００５２】
なお、本実施形態では、接点装置２は、一対の接点３１，３２を１つ備えるが、一対の接点３１，３２を複数備えていてもよい。すなわち、本実施形態に係る接点装置２は、少なくとも１つの一対の接点３１，３２を備えていればよい。
【００５３】
また、本実施形態では、接点装置２は、弾性片３３を１つ備えるが、複数の弾性片３３を備えてもよい。この場合は、１つの弾性片３３に１つ以上に可動接点３２が設けられてもよい。
【００５４】
また、本実施形態では、可動接点３２及び弾性片３３は互いに別部材であるが、可動接点３２及び弾性片３３は、一部材で一体的に形成されてもよい。すなわち、可動接点３２は、弾性片３３の一部（例えば突起）として形成されてもよい。
【００５５】
また、本実施形態では、固定接点３１及び端子１１は互いに別部材であるが、固定接点３１及び端子１１は、一部材で一体的に形成されてもよい。すなわち、固定接点３１は、端子１１の一部（例えば突起）として形成されてもよい。
【００５６】
また、本実施形態では、接点装置２は、２つの第１突出部４８ａ，４８ｂを備えるが、接点装置２は、少なくとも１つの第１突出部を備えておればよい。また、接点装置２は、２つの第２突出部４９ａ，４９ｂを備えるが、接点装置２は、少なくとも１つの第２突出部を備えておればよい。
【００５７】
なお、本実施形態では、遮蔽部材１３は、後壁部１８の開口部２３の全体を覆うが、開口部２３の少なくとも一部を覆えばよい。
【００５８】
また、本実施形態では、一対の接点は、固定接点３１及び可動接点３２で構成されるが、一対の接点の両方ともが可動接点であってもよい。
【００５９】
（変形例）
以下、上記の実施形態の変形例を説明する。以下の変形例は、組み合わせて実施されてもよい。なお、以下の変形例の説明では、上記の実施形態と同じ構成要素については、同じ符号を付して説明を省略する場合がある。
【００６０】
（変形例１）
上記の実施形態では、後壁部１８の後面１８ｋに継鉄２９の露出部２９ｃ，２９ｄが露出しているため（図２参照）、その露出部２９ｃ，２９ｄを避けるために、遮蔽部材１３は、切欠部５０を有する。ただし、後壁部１８の後面２８ｋに露出部２９ｃ，２９ｄが露出していなければ、遮蔽部材１３は、図６Ａ又は図６Ｂに示すように、切欠部５０を有さなくてもよい。図６Ａ及び図６Ｂに示す遮蔽部材１３の形状はそれぞれ、平面視矩形状である。換言すれば、第１突出部４８ａ，４８ｂが主部４７の上辺部４７ａの全体及び下辺部４７ｂの全体に設けられる場合である。なお、図６Ａは、曲げ逃げ部１３ｓが有る場合で、図６Ｂは、曲げ逃げ部１３ｓが無い場合である。
【００６１】
（変形例２）
上記の実施形態では、遮蔽部材１３の平面視形状は、主部４７の中心Ｐ１に対して点対称の形状であるため、遮蔽部材１３は、右上角部及び左下角部の２カ所に切欠部５０を有する。ただし、遮蔽部材１３の平面視形状は、主部４７の中心Ｐ１に対して点対称の形状に限定されず、この場合は、図７に示すように、遮蔽部材１３は、左下角部に１つの切欠部５０を有する形状であってもよい。この場合は、第１突出部４８ａは、主部４７の上辺部４７ａの全体に設けられ、第１突出部４８ｂは、実施形態１と同様に主部４７の下辺部４７ｂにおける右端と中央左寄り部との間の範囲に設けられる。
【００６２】
（変形例３）
上記の実施形態では、遮蔽部材１３は、右上角部及び左下角部の２カ所に切欠部５０を有する。ただし、切欠部５０が設けられる箇所は、右上角部及び左下角部の２カ所に限定されない。図８に示すように、遮蔽部材１３は、４つの角部（右上角部、右下角部、左上角部及び左下角部）にそれぞれに切欠部５０を有してもよい。
【００６３】
（変形例４）
本変形例では、図９に示すように、ベース４の右壁部１７は、開口部７０を更に有する。開口部７０は、端子１１（遮蔽部材）で覆われている。
【００６４】
右壁部１７は、図９に示すように、ケース１２の内部空間Ｓ４を、ベース４の内部空間（第１空間）Ｓ１と、隙間空間（第３空間、第２空間）Ｓ７とに仕切る仕切り壁（第２仕切り壁）である。ベース４の内部空間Ｓ１は、接点部６を含む空間である。隙間空間Ｓ７は、ベース４の右壁部１７とケース１２の右壁部４３との間（すなわち右壁部１７の右面とケース１２との間）の空間であり、接点部６を含まない空間である。
【００６５】
右壁部１７は、図９に示すように、接点部６の配置に対して、固定接点３１及び可動接点３２が互いに対向する方向（上方向または下方向）と交差（例えば直交）する交差方向（例えば右方向）（第２交差方向）の位置に設けられている。右壁部１７は、一対の接点部６の対向方向に対して右方向に交差する方向（第２交差方向）の位置に設けられている。後壁部１８は、一対の接点部６の対向方向に対して後方向に交差する方向（第１交差方向）の位置に設けられている。すなわち、右壁部１７は、第１交差方向（後方向）と異なる第２交差方向（右方向）の位置に設けられている。右壁部１７は、固定接点３１と可動接点３２との開離時に生じるアーク（火花）が接触可能な位置に配置されていることが好ましい。
【００６６】
開口部７０は、図９に示すように、右壁部１７を、接点部６の開離時に生じるアークから回避させるための開口である。開口部７０は、右壁部１７において、中間壁部２０の上側に設けられている。開口部７０の少なくとも一部は、右方向又は左方向において、接点開状態の固定接点３１及び可動接点３２の間の空間（ギャップ）Ｓ６に重なるように、右壁部１７に設けられている。
【００６７】
開口部７０は、右壁部１７において、上記のアークが届く部分に設けられている。このような部分に開口部７０が設けられることで、開口部７０によって、右壁部１７を上記アークから回避させることができる。この結果、右壁部１７が上記アークで損傷することを抑制できる。開口部７０は、例えば矩形状である。開口部７０は、内部空間Ｓ１と隙間空間Ｓ７とを繋ぐ。すなわち、内部空間Ｓ１と隙間空間Ｓ７は、開口部１７を通して繋がっている。
【００６８】
右壁部１７は、図１０に示すように、端子１１が通るスリット部１７ａを有する。スリット部１７ａは、右壁部１７の前辺部の上部から後方に向かって設けられている。スリット部１７ａは、ベース４の内部空間Ｓ１（図９参照）と隙間空間Ｓ７（図９参照）とを繋ぐ。
【００６９】
端子１１は、図１１に示すように、右壁部１７の外側主面に配置され、接点部６の一方の接点（固定接点３１）に電気的に接続されている（図９参照）。端子１１は、図１０に示すように、主部１１１と、外部接続部１１２と、接点支持部１１３とを有する。
【００７０】
主部１１１は、図１０に示すように、例えば逆三角形状の平板状であり、開口部７０を覆う部分である。本変形例では、主部１１１は、開口部７０の全部を覆うが（図１１参照）、開口部７０の少なくとも一部を覆えばよい。これにより、上記のアークが、開口部７０からベース４の外側に出てケース１２を損傷することを抑制できる。つまり、端子１１は、上記のアークを遮蔽する遮蔽部材として機能している。外部接続部１１２は、外部回路と電気的に接触する部分である。外部接続部１１２は、例えば帯形の棒状であり、主部１１１の下端から下方に延びている。
【００７１】
接点支持部１１３は、固定接点３１を支持する部分である（図９参照）。接点支持部１１３は、図１０に示すように、例えば矩形の板状であり、主部１１１の上端から主部１１１の内側主面の側に突出している。接点支持部１１３の下側主面に固定接点３１が設けられている（図９参照）。接点支持部１１３の左端部１１３ａは、上方に屈曲している。主部１１１と接点支持部１１３との連結部には、その連結部の後端から前方に向かって切り込まれた切込部１１４が設けられている。なお、接点支持部１１３は、上記の実施形態の上部１１ａである（図１参照）。
【００７２】
端子１１は、図１１に示すように、切込部１１４とスリット部１７ａとが嵌り合うように、右壁部１７の前辺部側から右壁部１７に装着される。この装着状態では、主部１１１及び外部接続部１１２は、右壁部１７の外側主面に配置される。また、主部１１１は、開口部７０の少なくとも一部を覆う。本変形例では、主部１１１は、開口部７０の全体を覆う。外部接続部の１１２の下端部は、ベース４の下部から下方に突出する。接点支持部１１３は、ベース４の内部に配置され、且つ上壁部１９の下側主面に沿って配置される（図９参照）。接点支持部１１３の左端部は、上壁部１９に設けられた溝部１９ａに嵌って固定される（図９参照）。
【００７３】
以上、本変形例によれば、右壁部１７の開口部７０によって、接点部６の開離時に発生するアークで、右壁部１７が損傷することを抑制できる。また、端子１１が開口部７０を覆うため、上記のアークが、開口部７０を通って開口部７０の外側にあるケース１２を損傷することを抑制できる。
【００７４】
なお、本変形例では、ベース４は２つの開口部２３，７０を有するが、２つの開口部２３，７０のうちの少なくとも一方の開口部を有すればよい。
【００７５】
（まとめ）
第１の態様に係る接点装置（２）は、接点部（６）と、ケース（１２）と、仕切り壁（１８，１７）と、遮蔽部材（１３，１１）と、を備えている。接点部（６）は、一対の接点（３１，３２）を有し、一対の接点（３１，３２）が接触する接点閉状態と一対の接点（３１，３２）が離れる接点開状態とのうちの一方の状態とに切り替わる。ケース（１２）は、接点部（６）を収容する。仕切り壁（１８，１７）は、一対の接点（３１，３２）に対して、一対の接点（３１，３２）が互いに対向する方向と交差する交差方向の位置に設けられている。仕切り壁（１８，１７）は、接点部（６）を含む第１空間（Ｓ１）と接点部（６）を含まない第２空間（Ｓ５，Ｓ７）とにケース（１２）の内部（Ｓ４）を仕切る。遮蔽部材（１３，１１）は、仕切り壁（１８，１７）に設けられている。仕切り壁（１８，１７）は、第１空間（Ｓ１）と第２空間（Ｓ５，Ｓ７）とをつなぐ開口部（２３，７０）を有する。開口部（２３，７０）の少なくとも一部は、上記の交差方向に平行な方向において、開状態にある一対の接点（３１，３２）の間の空間（Ｓ６）と重なる。遮蔽部材（１３，１１）は、開口部（２３，７０）の少なくとも一部を覆う主部（４７，１１１）を有する。
【００７６】
この構成によれば、遮蔽部材（１３，１１）によって、一対の接点（３１，３２）から生じるアーク（火花）が開口部（２３，７０）を通って開口部（２３，７０）の外側にあるケース（１２）に接触することを抑制できる。これにより、上記のアークでケース（１２）が損傷することを抑制できる。
【００７７】
第２態様に係る接点装置（２）は、第１の態様において、遮蔽部材（１３）の耐熱性は、仕切り壁（１８）の耐熱性よりも高い。
【００７８】
この構成によれば、一対の接点（３１，３２）から生じるアークを受けることによる遮蔽部材（１３）の劣化を抑制できる。
【００７９】
第３態様に係る接点装置（２）は、第１又は第２の態様において、遮蔽部材（１３）の熱伝導率は、仕切り壁（１８）の熱伝導率よりも高い。
【００８０】
この構成によれば、遮蔽部材（１３）の放熱性を向上できる。これにより、一対の接点（３１，３２）から生じるアークで遮蔽部材（１３）が加熱されても、上記のアークで遮蔽部材（１３）が劣化を抑制できる。
【００８１】
第４態様に係る接点装置（２）は、第１〜３の態様の何れか１つの態様において、遮蔽部材（１３）は、接点部（６）から生じるアークが接触可能な位置に設けられている。
【００８２】
第５態様に係る接点装置（２）は、第１〜４の態様の何れか１つの態様において、遮蔽部材（１３）は、主部（４７）から突出する第１突出部（４８ａ，４８ｂ）を更に有する。第１突出部（４８ａ，４８ｂ）は、上記の交差方向に平行な方向おいて、仕切り壁（１８）における開口部（２３）の周囲の領域に重なる。
【００８３】
この構成によれば、第１突出部（４８ａ，４８ｂ）によって遮蔽部材（１３）の体積を大きくできる。これにより、遮蔽部材（１３）の熱容量を増大でき、上記のアークの熱で加熱されても遮蔽部材（１３）の温度上昇による劣化を抑制できる。
【００８４】
第６態様に係る接点装置（２）は、第５の態様において、第１突出部（４８ａ，４８ｂ）は、仕切り壁（１８）における一対の接点（３１，３２）とは反対側の主面（１８ｋ）に配置される。
【００８５】
この構成によれば、第１突出部（４８ａ，４８ｂ）と接点部（６）との間に仕切り壁（１８）を配置できる。これにより、仕切り壁（１８）によって接点部（６）から生じるアークが第１突出部（４８ａ，４８ｂ）に接触することを抑制できる。この結果、遮蔽部材（１３）の放熱性を向上できる。
【００８６】
第７態様に係る接点装置（２）は、第６の態様において、第１突出部（４８ａ，４８ｂ）は、仕切り壁（１８）におけるケース（１２）との対向面（１８ａ）とケース（１２）との間に配置される。
【００８７】
この構成によれば、ケース（１２）と仕切り壁（１８）とにより、遮蔽部材（１３）の位置決めができる。
【００８８】
第８態様に係る接点装置（２）は、第５〜７の態様の何れか１つの態様において、仕切り壁（１８）における一対の接点（３１，３２）と反対側の主面（１８ｋ）に金属部材（継鉄２９）が露出する。第１突出部（４８ｂ）は、金属部材（２９）における上記の主面から露出する露出部（２９ｃ）を避けて配置されている。
【００８９】
この構成によれば、遮蔽部材（１３）と金属部材（２９）の露出部（２９ｃ）とが電気的に接触することを抑制できる。
【００９０】
第９態様に係る接点装置（２）は、第１〜８の態様の何れか１つの態様において、遮蔽部材（１３）は、主部（４７）から交差方向（後方向）の反対方向（前方向）に突出する第２突出部（４９ａ，４９ｂ）を有する。第２突出部（４９ａ，４９ｂ）は、開口部（２３）の内周に接触する。
【００９１】
この構成によれば、第２突出部（４９ａ，４９ｂ）と開口部（２３）の内周とが接触することで、仕切り壁（１８）での遮蔽部材（１３）の位置を位置決めできる。
【００９２】
第１０態様に係る接点装置（２）は、第１〜９の態様の何れか１つの態様において、主部（４７）は、第２空間（Ｓ５）に配置される。
【００９３】
この構成によれば、遮蔽部材（１３）の主部（４７）を仕切り壁（１８）の外側（接点部（６）とは反対側）から仕切り壁（１８）に装着できる。この結果、仕切り壁（１８）に遮蔽部材（１３）を装着するときの作業性を向上できる。
【００９４】
第１１態様に係る接点装置（２）は、第１〜１０の態様の何れか１つの態様において、遮蔽部材（１３）は、金属製である。
【００９５】
この構成によれば、接点装置（２）に対する非破壊検査（過電流式センサ又はＸ線式検査装置）で、接点装置（２）に遮蔽部材（１３）が備えられているかを容易に確認できる。
【００９６】
第１２態様に係る接点装置（２）は、第１〜第４の態様の何れか１つの態様において、端子（１１）を更に備える。端子（１１）は、仕切り壁（１７）の外側主面に配置され、一対の接点（３１，３２）のうちの一方の接点（３１）と電気的に接続される。端子（１１）は、遮蔽部材として機能する。
【００９７】
この構成によれば、開口部（７０）によって、仕切り壁（１７）が一対の接点（３１，３２）の開離時に発生するアークで損傷することを抑制できる。また、端子（１１）が開口部（７０）を覆うため、上記のアークが開口部（７０）を通って開口部（７０）の外側にあるケース（１２）を損傷することを抑制できる。
【００９８】
第１３態様に係る接点装置（２）は、第１〜第１１の態様の何れか１つの態様において、仕切り壁（１８）を第１仕切り壁（１８）とし、開口部（２３）を第１開口部（２３）とし、上記の交差方向を第１交差方向とする。接点装置（２）は、第２仕切り壁（１７）と、端子（１１）と、を備えている。第２仕切り壁（１７）は、接点部（６）に対して、一対の接点（３１，３２）が互いに対向する方向と交差しかつ第１交差方向と異なる第２交差方向の位置に設けられている。第２仕切り壁（１７）は、接点部（６）を含む第１空間（Ｓ１）と接点部（６）を含まない第３空間（Ｓ７）とにケース（１２）の内部（Ｓ４）を仕切る。端子（１１）は、第２仕切り壁（１７）の外側主面に設けられ、一対の接点（３１，３２）のうちの一方の接点（３１）と電気的に接続されている。第２仕切り壁（１７）は、第１空間（Ｓ１）と第３空間（Ｓ７）とをつなぐ第２開口部（７０）を有する。第２開口部（７０）の少なくとも一部は、第２交差方向に平行な方向において、開状態にある一対の接点（３１，３２）の間の空間（Ｓ６）と重なる。端子（１１）は、第２開口部（７０）の少なくとも一部を覆う主部（１１１）を有する。
【００９９】
この構成によれば、第２開口部（７０）によって、第２仕切り壁（１７）が一対の接点（３１，３２）の開離時に発生するアークで損傷することを抑制できる。また、端子（１１）が第２開口部（７０）を覆うため、上記のアークが第２開口部（７０）を通って第２開口部（７０）の外側にあるケース（１２）を損傷することを抑制できる。
【０１００】
第１４態様に係る電磁継電器（１）は、第１〜第１３の態様の何れか１つの態様の接点装置（２）と、電磁石装置（３）と、を備える。電磁石装置（３）は、一対の接点（３１，３２）を開状態及び閉状態のうちの一方の状態に切り替える。
【０１０１】
この構成によれば、接点装置（２）の効果を有する電磁継電器（１）を提供できる。
【符号の説明】
【０１０２】
１  電磁継電器
２  接点装置
６  接点部
１２  ケース
１３  遮蔽部材
１７  右壁部（第２仕切り壁）
１８  後壁部（第１仕切り壁、仕切り壁）
１８ｋ  後面（主面）
２３  開口部（第１開口部）
３１  固定接点（接点）
３２  可動接点（接点）
４７  主部
４８ａ，４８ｂ  第１突出部
４９ａ，４９ｂ  第２突出部
７０  開口部（第２開口部）
１１１  主部
Ｓ１  内部空間（第１空間）
Ｓ４  内部空間
Ｓ５  隙間空間（第２空間）
Ｓ６  空間
Ｓ７  隙間空間（第３空間、第２空間）
【図１】
2020080234.tif 000003
【図２】
2020080234.tif 000004
【図３】
2020080234.tif 000005
【図４】
2020080234.tif 000006
【図５】
2020080234.tif 000007
【図６】
2020080234.tif 000008
【図７】
2020080234.tif 000009
【図８】
2020080234.tif 000010
【図９】
2020080234.tif 000011
【図１０】
2020080234.tif 000012
【図１１】
2020080234.tif 000013